(57)【要約】      （修正有）【課題】個々の温度制御ブロックに冷媒の流量を制御する機構を設けずとも被試験デバイスを所望の温度に制御可能にする。【解決手段】バーンイン装置は、複数の被試験デバイスの温度制御を行うための複数の温度制御ブロックであって、それぞれが個別の被試験デバイスと接触して被試験デバイスの温度制御を行う複数の温度制御ブロックと、冷媒の温度が冷媒設定温度となるように制御しながら複数の温度制御ブロックのそれぞれに冷媒を供給する冷却装置と、複数の温度制御ブロックのそれぞれに設けられたヒータと、被試験デバイスが目標温度となるようにヒータの出力を個別に制御するヒータ制御ユニットと、ヒータの出力であるヒータ出力値のうち最も低いヒータ出力値が第１閾値以下である場合に冷媒設定温度を下げ、ヒータ出力値のうち最も低いヒータ出力値が第２閾値以上である場合に冷媒設定温度を上げる冷却装置制御部とを備えて構成されている。【選択図】図６
2010014421.tif 000002
【特許請求の範囲】
【請求項１】
バーンイン試験の際に、複数の被試験デバイスの温度制御を行うための、複数の温度制御ブロックであって、それぞれが、個別の被試験デバイスと接触して、被試験デバイスの温度制御を行う、複数の温度制御ブロックと、
前記複数の温度制御ブロックのそれぞれに冷媒を供給する、冷却装置であって、前記冷媒の温度が冷媒設定温度となるように制御しながら、前記冷媒を供給する、冷却装置と、
前記複数の温度制御ブロックのそれぞれに設けられた、ヒータと、
前記被試験デバイスが目標温度となるように、前記ヒータの出力を個別に制御する、ヒータ制御ユニットと、
前記ヒータの出力であるヒータ出力値のうち最も低いヒータ出力値が第１閾値以下である場合に、前記冷媒設定温度を下げ、前記ヒータ出力値のうち最も低いヒータ出力値が第２閾値以上である場合に、前記冷媒設定温度を上げる、冷却装置制御部と、
を備えることを特徴とするバーンイン装置。
【請求項２】
前記複数の温度制御ブロックには、各温度制御ブロック内部を流れる冷媒の流量を制御する機構は設けられていない、ことを特徴とする請求項１に記載のバーンイン装置。
【請求項３】
前記冷却装置から前記複数の温度制御ブロックに供給された冷媒は、再び、前記冷却装置の戻る循環が構成されている、ことを特徴とする請求項１又は請求項２に記載のバーンイン装置。
【請求項４】
前記冷却装置制御部は、異なるタイミングで前記最も低いヒータ出力値を複数回取得して、その平均値を算出するとともに、前記平均値が前記第１閾値以下である場合に、前記冷媒設定温度を下げ、前記平均値が前記第２閾値以上である場合に、前記冷媒設定温度を上げる、ことを特徴とする請求項１乃至請求項３のいずれかに記載のバーンイン装置。
【請求項５】
前記冷却装置制御部が、最初に前記冷媒設定温度を設定する際には、その時点の冷媒の温度を前記冷媒設定温度とする、ことを特徴とする請求項１乃至請求項４のいずれかに記載のバーンイン装置。
【請求項６】
前記冷却装置制御部が、最初に前記冷媒設定温度を設定する際には、
その時点のヒータ出力値が前記第１閾値以下である場合には、その時点の冷媒の温度より下げた温度を前記冷媒設定温度として設定し、
その時点のヒータ出力値が前記第２閾値以上である場合には、その時点の冷媒の温度より上げた温度を前記冷媒設定温度として設定し、
その時点のヒータ出力値が前記第１閾値より大きく且つ前記第２閾値未満である場合には、その時点の冷媒の温度を前記冷媒設定温度として設定する、
ことを特徴とする請求項１乃至請求項４のいずれかに記載のバーンイン装置。
【請求項７】
前記被試験デバイスの前記目標温度を変更するための目標温度変更シーケンスを実行する、試験制御部をさらに備え、
前記試験制御部における前記目標温度変更シーケンスにより、前記被試験デバイスの温度と前記変更後の目標温度との差が、所定範囲に到達した場合に、前記冷却装置制御部による制御が開始される、
ことを特徴とする請求項１乃至請求項６のいずれかに記載のバーンイン装置。
【請求項８】
前記ヒータ制御ユニットは、前記複数の温度制御ブロックのそれぞれに設けられた温度センサから、前記被試験デバイスの温度を取得し、前記被試験デバイスのそれぞれが前記目標温度になるように、前記ヒータの出力の制御を自律的に行う、ことを特徴とする請求項１乃至請求項７のいずれかに記載のバーンイン装置。
【請求項９】
前記冷媒装置制御部が、前記冷媒設定温度を下げる場合には、第１温度幅だけ前記冷媒設定温度を下げ、前記冷媒設定温度を上げる場合には、第２温度幅だけ前記冷媒設定温度を上げる、ことを特徴とする請求項１乃至請求項８のいずれかに記載のバーンイン装置。
【請求項１０】
バーンイン試験の際に、複数の被試験デバイスの温度制御を行うための、複数の温度制御ブロックであって、それぞれが、個別の被試験デバイスと接触して、被試験デバイスの温度制御を行う、複数の温度制御ブロックと、
前記複数の温度制御ブロックのそれぞれに冷媒を供給する、冷却装置であって、前記冷媒の温度が冷媒設定温度となるように制御しながら、前記冷媒を供給する、冷却装置と、
前記複数の温度制御ブロックのそれぞれに設けられた、ヒータと、
を備えるバーンイン試験の制御方法であって、
前記被試験デバイスが目標温度となるように、前記ヒータの出力を個別に制御するとともに、
前記ヒータの出力であるヒータ出力値のうち最も低いヒータ出力値が第１閾値以下である場合に、前記冷媒設定温度を下げ、前記ヒータ出力値のうち最も低いヒータ出力値が第２閾値以上である場合に、前記冷媒設定温度を上げる制御を行う、
ことを特徴とするバーンイン装置の制御方法。
【発明の詳細な説明】
【技術分野】
【０００１】
本発明は、バーンイン装置及びその制御方法に関する。
【背景技術】
【０００２】
電子部品等のデバイスの初期不良を顕在化し、初期故障品の除去を行うためのスクリーニング試験の一種であるバーンイン（burn-In）試験を行う装置として、バーンイン装置が知られている。このバーンイン装置では、被試験デバイス（Device Under Test）である半導体装置を複数装着したバーンインボードをバーンイン装置の内部に収容し、所定の電圧を印加して電気的ストレスを与えるとともに、被試験デバイスを加熱したり冷却したりして熱的ストレスを与えることにより、初期不良を顕在化させる。
【０００３】
このようなバーンイン装置では、数時間から数十時間に亘る長時間のバーンイン試験が行われることから、試験効率を向上させるために、複数の被試験デバイスを１枚のバーンインボードに装着するとともに、このバーンインボードを複数毎、バーンイン装置に挿入して、バーンイン試験を行うのが一般的である（例えば、特許文献１：特開２００６−３０８５１７号公報参照）。
【０００４】
このようなバーンイン装置においては、個々の被試験デバイスの温度をより高い精度で制御するために、加熱機構と冷却機構を有する温度制御ブロックを、被試験デバイスに接触させ、被試験デバイスを直接、加熱したり冷却したりすることが提案されている（例えば、特許文献２：特開２００５−２６５６６５号公報）。温度制御ブロックに冷却機構を設けるためには、冷却装置から送出された冷媒が温度制御ブロック内を通過するようにするとともに、この温度制御ブロック内部を流れる冷媒の流量を、個々の温度制御ブロック毎に制御して、被試験デバイスの温度を個別に制御できるようにする必要がある。
【０００５】
このように個々の温度制御ブロック毎に、冷媒の流量を制御するためには、各温度制御ブロックに、冷媒が内部に流れ込む流量を調節するためのバルブ等の調節機構が必要となる。しかし、このような調節機構を個々の温度制御ブロックに設けると、１つのバーンイン装置内に設けられている温度制御ブロックの数が膨大であることから、バーンイン装置の製造コストが著しく増大することとなる。
【特許文献１】特開２００６−３０８５１７号公報
【特許文献２】特開２００５−２６５６６５号公報
【発明の開示】
【発明が解決しようとする課題】
【０００６】
そこで本発明は、前記課題に鑑みてなされたものであり、個々の温度制御ブロックに冷媒の流量を制御する機構を設けずとも、被試験デバイスを所望の温度に制御することができるようにしたバーンイン装置及びその制御方法を提供することを目的とする。
【課題を解決するための手段】
【０００７】
上記課題を解決するため、本発明に係るバーンイン装置は、
バーンイン試験の際に、複数の被試験デバイスの温度制御を行うための、複数の温度制御ブロックであって、それぞれが、個別の被試験デバイスと接触して、被試験デバイスの温度制御を行う、複数の温度制御ブロックと、
前記複数の温度制御ブロックのそれぞれに冷媒を供給する、冷却装置であって、前記冷媒の温度が冷媒設定温度となるように制御しながら、前記冷媒を供給する、冷却装置と、
前記複数の温度制御ブロックのそれぞれに設けられた、ヒータと、
前記被試験デバイスが目標温度となるように、前記ヒータの出力を個別に制御する、ヒータ制御ユニットと、
前記ヒータの出力であるヒータ出力値のうち最も低いヒータ出力値が第１閾値以下である場合に、前記冷媒設定温度を下げ、前記ヒータ出力値のうち最も低いヒータ出力値が第２閾値以上である場合に、前記冷媒設定温度を上げる、冷却装置制御部と、
を備えることを特徴とする。
【０００８】
この場合、前記複数の温度制御ブロックには、各温度制御ブロック内部を流れる冷媒の流量を制御する機構は設けられていないようにしてもよい。
【０００９】
また、前記冷却装置から前記複数の温度制御ブロックに供給された冷媒は、再び、前記冷却装置の戻る循環が構成されているようにしてもよい。
【００１０】
また、前記冷却装置制御部は、異なるタイミングで前記最も低いヒータ出力値を複数回取得して、その平均値を算出するとともに、前記平均値が前記第１閾値以下である場合に、前記冷媒設定温度を下げ、前記平均値が前記第２閾値以上である場合に、前記冷媒設定温度を上げるようにしてもよい。
【００１１】
また、前記冷却装置制御部が、最初に前記冷媒設定温度を設定する際には、その時点の冷媒の温度を前記冷媒設定温度とするようにしてもよい。
【００１２】
或いは、前記冷却装置制御部が、最初に前記冷媒設定温度を設定する際には、
その時点のヒータ出力値が前記第１閾値以下である場合には、その時点の冷媒の温度より下げた温度を前記冷媒設定温度として設定し、
その時点のヒータ出力値が前記第２閾値以上である場合には、その時点の冷媒の温度より上げた温度を前記冷媒設定温度として設定し、
その時点のヒータ出力値が前記第１閾値より大きく且つ前記第２閾値未満である場合には、その時点の冷媒の温度を前記冷媒設定温度として設定するようにしてもよい。
【００１３】
また、前記被試験デバイスの前記目標温度を変更するための目標温度変更シーケンスを実行する、試験制御部をさらに備え、
前記試験制御部における前記目標温度変更シーケンスにより、前記被試験デバイスの温度と前記変更後の目標温度との差が、所定範囲に到達した場合に、前記冷却装置制御部による制御が開始されるようにしてもよい。
【００１４】
また、前記ヒータ制御ユニットは、前記複数の温度制御ブロックのそれぞれに設けられた温度センサから、前記被試験デバイスの温度を取得し、前記被試験デバイスのそれぞれが前記目標温度になるように、前記ヒータの出力の制御を自律的に行うようにしてもよい。
【００１５】
また、前記冷媒装置制御部が、前記冷媒設定温度を下げる場合には、第１温度幅だけ前記冷媒設定温度を下げ、前記冷媒設定温度を上げる場合には、第２温度幅だけ前記冷媒設定温度を上げるようにしてもよい。
【００１６】
本発明に係るバーンイン試験の制御方法は、
バーンイン試験の際に、複数の被試験デバイスの温度制御を行うための、複数の温度制御ブロックであって、それぞれが、個別の被試験デバイスと接触して、被試験デバイスの温度制御を行う、複数の温度制御ブロックと、
前記複数の温度制御ブロックのそれぞれに冷媒を供給する、冷却装置であって、前記冷媒の温度が冷媒設定温度となるように制御しながら、前記冷媒を供給する、冷却装置と、
前記複数の温度制御ブロックのそれぞれに設けられた、ヒータと、
を備えるバーンイン試験の制御方法であって、
前記被試験デバイスが目標温度となるように、前記ヒータの出力を個別に制御するとともに、
前記ヒータの出力であるヒータ出力値のうち最も低いヒータ出力値が第１閾値以下である場合に、前記冷媒設定温度を下げ、前記ヒータ出力値のうち最も低いヒータ出力値が第２閾値以上である場合に、前記冷媒設定温度を上げる制御を行う、
ことを特徴とする。
【発明を実施するための形態】
【００１７】
以下、図面を参照して、本発明の一実施形態を説明する。なお、以下に説明する実施形態は、本発明の技術的範囲を限定するものではない。
【００１８】
図１は、本発明の一実施形態に係るバーンインシステムの全体的な正面図であり、図２は、図１に示したバーンインシステムを右側から見た場合の側面図である。
【００１９】
これら図１及び図２に示すように、本実施形態に係るバーンインシステムにおけるバーンイン装置１０は、内部にチャンバ２０を備えている。このチャンバ２０は、断熱壁等により区画されており、複数のバーンインボードＢＩＢが収納される。本実施形態の例では、バーンインボードＢＩＢを支持するためのスロット３０が、１６段２列で配置されており、合計３２枚のバーンインボードＢＩＢを、このチャンバ２０内に収納することが可能である。但し、このチャンバ２０内に収納することの可能なバーンインボードＢＩＢの枚数や、チャンバ２０内におけるバーンインボードＢＩＢの配置は、任意に変更可能である。なお、これらのバーンインボードＢＩＢとバーンイン装置１０とにより、本実施形態に係るバーンインシステムが構成されている。
【００２０】
また、このバーンイン装置１０には、ドア４０が設けられており、ドア４０を開状態にすることにより、バーンインボードＢＩＢをチャンバ２０から出し入れできるようになり、一方、ドア４０を閉状態にすることにより、チャンバ２０が閉空間を構成するようになる。本実施形態に係るバーンイン装置１０では、このチャンバ２０内の温度を、所定のシーケンスに従って上げたり下げたりすることが可能である。
【００２１】
この図１のバーンイン装置１０のスロット３０には、バーンインボードＢＩＢが挿入されて、バーンインボードＢＩＢを支持するガイド支持機構が形成されているが、チャンバ２０内にキャリアラックごと収納するタイプのバーンイン装置の場合には、スロット３０にはバーンインボードＢＩＢを支持するガイド支持機構は形成されていない。
【００２２】
各スロット３０には、温度調整ボード１００が設けられている。温度調整ボード１００は、スロット３０にバーンインボードＢＩＢを挿入したり抜去したりする際には、上昇した位置にあり、バーンインボードＢＩＢの挿抜を妨げないようにする。一方、スロット３０にバーンインボードＢＩＢが挿入された状態でバーンイン試験が開始されると、温度調整ボード１００は下降して、バーンインボードＢＩＢに挿入された被試験デバイスと接触し、被試験デバイスの温度制御を行う。
【００２３】
また、本実施形態に係るバーンイン装置１０は、冷却装置６０を備えている。この冷却装置６０は、冷媒をバーンイン装置１０内に循環させるための装置であり、冷却装置６０から送出された冷媒は、バーンイン装置１０内の温度調整ボード１００を循環して、再び、冷却装置６０に戻ってくるように構成されている。どのような種類の冷媒を用いるのかは任意であるが、例えば、水、フロンガス、フロリナートなどを冷媒として用いることが可能である。
【００２４】
また、本実施形態に係るバーンイン装置１０は、制御装置７０を備えている。この制御装置７０は、バーンイン装置１０の全体的な制御を行うための装置である。すなわち、バーンイン試験を行う上で必要な全体的な制御は、この制御装置７０により実行される。また、このバーンイン装置１０のユーザは、この制御装置７０から、バーンイン試験の開始の指示入力をしたり、バーンイン試験に関する各種の設定を入力したりすることができる。
【００２５】
図３は、本実施形態に係る１枚のバーンインボードＢＩＢを上から見た平面図を示している。この図３に示すように、バーンインボードＢＩＢには、マトリックス状態に配置された複数のソケットＳＫＴが設けられている。このソケットＳＫＴのそれぞれには、被試験デバイスである半導体装置が装着される。１枚のバーンインボードＢＩＢに設けるソケットＳＫＴの数は任意である。すなわち、１枚のバーンインボードＢＩＢに装着可能な被試験デバイスの数は任意である。
【００２６】
バーンインボードＢＩＢの挿入方向先端側には、挿入エッジＥＧが形成されている。バーンインボードＢＩＢに対応して、バーンイン装置１０の各スロット３０には、エクステンションボードＥＸＢが設けられている（図２参照）。このエクステンションボードＥＸＢの挿入エッジＥＧに対応する位置には、エッジコネクタが設けられており、このエッジコネクタに、バーンインボードＢＩＢの挿入エッジＥＧを挿入することにより、バーンインボードＢＩＢが、エクステンションボードＥＸＢと電気的に接続される。
【００２７】
エキステンションボードＥＸＢにおけるエッジコネクタＥＣの反対側には、バーンイン装置１０内に設けられているドライバボード（図示省略）が接続されている。このため、エクステンションボードＥＸＢを介して、バーンインボードＢＩＢはバーンイン装置１０のドライバボードに接続されることとなる。
【００２８】
ドライバボードは、バーンイン試験を行う際に必要となるテスト信号を生成し、バーンインボードＢＩＢに供給するとともに、被試験デバイスが動作するのに必要な電源もバーンインボードＢＩＢに供給する。したがって、テスト信号や電源は、エクステンションボードＥＸＢを介して、バーンインボードＢＩＢのソケットＳＫＴに挿入された被試験デバイスに供給される。また、バーンイン試験により被試験デバイスが生成したテスト結果信号は、エクステンションボードＥＸＢを介して、ドライバボードに出力される。
【００２９】
図４は、本実施形態に係るバーンイン装置１０が備える温度調整ボード１００の平面図である。この図４では、本実施形態に係る１枚の温度調整ボード１００を上から見た状態を示している。図５は、本実施形態に係る温度調整ボード１００に設けられている温度制御ブロック１１０の構造を説明するためのブロック図である。この図５は、１個の温度制御ブロック１１０と１個の被試験デバイスＤＵＴとを断面図として示している。図６は、温度調整ボード１００を制御するための本実施形態に係る制御機構を全体的に示す図である。
【００３０】
これら図４及び図５に示すように、温度調整ボード１００には、複数の温度制御ブロック１１０が設けられている。この温度制御ブロック１１０は、バーンインボードＢＩＢ上に挿入された被試験デバイスＤＵＴの配置と合致するように、設けられている。すなわち、バーンインボードＢＩＢ上のソケットＳＫＴの配置と、温度調整ボード１００上の温度制御ブロック１１０の配置とは、合致している。このため、温度調整ボード１００が下降すると、温度制御ブロック１１０は被試験デバイスＤＵＴと接触し、温度制御ブロック１１０が、被試験デバイスＤＵＴを加熱したり冷却したりすることができるようになる。
【００３１】
より詳細には、上述した冷却装置６０から送出された冷媒は、メインの配管１２０を通って、各温度調整ボード１００まで供給される。配管１２０は、温度調整ボード１００において、支管である複数の配管１３０に分岐される。本実施形態においては、１枚の温度調整ボード１００において、メインの配管１２０は、４本の支管である配管１３０に分岐する。
【００３２】
支管である配管１３０は、それぞれ順番に複数の温度制御ブロック１１０内を通過して、再びメインの配管１２０に合流する。各温度制御ブロック１１０内を通過する際に、冷媒は、温度制御ブロック１１０から温度を奪い、温度制御ブロック１１０の温度を下げる働きをする。配管１２０に集まった冷媒は、再び冷却装置６０に戻り、この冷却装置６０で温度が下げられ、再び配管１２０から送出されることとなる。
【００３３】
図５からも分かるように、本実施形態に係る温度制御ブロック１１０には、冷媒の流量を制御する調節弁などの機構は、設けられていない。このため、支管である配管１３０を流れる冷媒は、それぞれの温度制御ブロック１１０内を同じ流量、流れることとなる。すなわち、各温度制御ブロック１１０の内部を流れる冷媒の流量は、個別に制御されるものではない。このため、本実施形態においては、支管である配管１３０には、冷媒の流量を制御する流量制御バルブや、内部に取り込まなかった冷媒をバイパスする分岐路は、設けられていない。
【００３４】
さらに、図５及び図６に示すように、温度制御ブロック１１０には、ヒータ１４０と温度センサ１５０も設けられている。温度センサ１５０は、被試験デバイスＤＵＴの温度を検出するためのセンサである。この温度センサ１５０で検出された温度は、ヒータ制御ユニット２００の温度測定部２１０に出力される。本実施形態においては、例えば、温度センサ１５０で検出された温度は、電気信号として温度測定部２１０に出力され、この電気信号を取得した温度測定部２１０は、この電気信号に基づいて、被試験デバイスＤＵＴの温度を算出する。
【００３５】
温度測定部２１０で得られた被試験デバイスＤＵＴの温度は、ヒータ制御部２２０に出力される。ヒータ制御部２２０は、取得した被試験デバイスＤＵＴの温度に基づいて、ヒータ１４０の温度制御を行う。本実施形態においては、例えば、ヒータ１４０は、ヒータ制御部２２０から電源の供給を受けており、ヒータ制御部２２０が出力する電源の電流量を増やすことによりヒータ１４０の温度を上げることができ、ヒータ制御部２２０が出力する電源の電流量を減らすことによりヒータ１４０の温度を下げることができる。
【００３６】
但し、ヒータ制御部２２０は、ヒータ１４０に供給する電源の電圧を変えることにより、ヒータ１４０の温度制御をするようにしてもよい。すなわち、ヒータ制御部２２０が出力する電源の電圧を上げることによりヒータ１４０の温度を上げ、ヒータ制御部２２０が出力する電源の電圧を下げることによりヒータ１４０の温度を下げるようにしてもよい。
【００３７】
このヒータ制御ユニット２００による温度制御は、各温度制御ブロック１１０毎に行われる。すなわち、ヒータ１４０の出力制御は、個々の温度制御ブロック１１０毎に行う。
【００３８】
バーンインボードＢＩＢ上の被試験デバイスＤＵＴには、デバイス電源制御ユニット２５０から電源が供給される。すなわち、デバイス電源制御ユニット２５０のデバイス電源部２６０から、バーンイン試験を行うのに必要な電源が、被試験デバイスＤＵＴに供給される。
【００３９】
実際に被試験デバイスＤＵＴを流れた電流の値とその電圧の値は、電気信号として、デバイス電源制御ユニット２５０の電流電圧測定部２７０に出力される。電流電圧測定部２７０は、取得した電流の値と電圧の値を示す電気信号に基づいて、電流の値と電圧の値を算出する。
【００４０】
このデバイス電源制御ユニット２５０も、各被試験デバイスＤＵＴに対応するように設けられている。すなわち、被試験デバイスＤＵＴに対する電源制御は、各被試験デバイスＤＵＴ毎に行われる。換言すれば、バーンインボードＢＩＢ上のソケットＳＫＴに対応付けられて、デバイス電源制御ユニット２５０は設けられていることとなる。
【００４１】
本実施形態においては、これらヒータ制御ユニット２００とデバイス電源制御ユニット２５０は、例えば、上述した各ドライバボードに設けられている。さらに、これらヒータ制御ユニット２００とデバイス電源制御ユニット２５０とを全体的に制御するための試験制御部３００を、本実施形態に係るバーンイン装置１０は備えている。この試験制御部３００は、例えば、制御装置７０内に設けられている。
【００４２】
試験制御部３００は、それぞれのヒータ制御ユニット２００から、被試験デバイスＤＵＴの測定温度であるデバイス測定温度と、ヒータ出力値とを取得するとともに、必要に応じて、被試験デバイスＤＵＴの目標温度であるシーケンス設定温度をそれぞれのヒータ制御ユニット２００に出力する。このシーケンス設定温度を目標温度として、ヒータ制御ユニット２００は、ヒータ１４０の制御を自律的に行うこととなる。
【００４３】
本実施形態においては、このヒータ出力値は、ヒータ１４０の最も高い出力の状態を１００％とし、ヒータ１４０の最も低い出力の状態（つまり、オフの状態）を０％と定義している。例えば、ヒータ出力値が１００％の場合に、ヒータ１４０を流れる電流量が１００Ａであると想定すると、ヒータ出力値が５０％の場合、ヒータ１４０を流れる電流量は５０Ａとなる。換言すれば、ヒータ出力値が５０％とは、ヒータ制御部２２０からヒータ１４０に５０Ａの電流を供給している状態にあることを意味している。
【００４４】
また、試験制御部３００は、それぞれのデバイス電源制御ユニット２５０から、被試験デバイスＤＵＴにおける電流と電圧の測定値である電流電圧値を取得し、これに基づいて、デバイス電源制御ユニット２５０に必要な電源制御の指示を出力する。
【００４５】
また、詳しくは後述するが、バーンイン試験におけるシーケンス温度を変更する場合には、試験制御部３００は、ヒータ制御ユニット２００にシーケンス設定温度を出力するとともに、冷却装置制御部３５０に冷媒設定温度を出力する。冷却装置制御部３５０は、取得した冷媒設定温度をそのまま、冷却装置６０に出力する。
【００４６】
一方、被試験デバイスＤＵＴの温度が定常状態にある場合には、試験制御部３００は、それぞれのヒータ制御ユニット２００から取得したヒータ出力値の中から、最も低いヒータ出力値を、冷却装置制御部３５０に出力する。冷却装置制御部３５０は、この最も低いヒータ出力値に基づいて、冷媒設定温度を決定し、冷却装置６０に出力する。
【００４７】
冷却装置６０は、このようにして取得した冷媒設定温度を目標温度として、送出する冷媒の温度を制御する。すなわち、冷却装置６０は、供給する冷媒の温度が冷媒設定温度となるように、冷媒の温度制御を行う。また、冷却装置６０は、実際に供給している冷媒の温度を測定し、冷媒測定温度として、冷却装置制御部３５０に出力する。
【００４８】
本実施形態においては、この冷却装置制御部３５０も、制御装置７０に設けられている。但し、この冷却装置制御部３５０は、例えば、冷却装置６０の内部に設けることも可能である。
【００４９】
次に、図７及び図８に基づいて、本実施形態に係る試験制御部３００で実行される設定温度変更シーケンス処理について説明する。この設定温度変更シーケンス処理は、バーンイン試験において、バーンイン装置１０が被試験デバイスの設定温度を変更する場合に実行される処理である。被試験デバイスＤＵＴの設定温度は、例えば、バーンイン試験のシーケンスにおいて、予めユーザによってプログラムされている。また、ユーザが制御装置７０に変更を指示入力することによっても、被試験デバイスＤＵＴの設定温度は変更され得る。
【００５０】
本実施形態においては、この図７及び図８に示す設定温度変更シーケンス処理は、試験制御部３００に設けられたＣＰＵにより、ソフトウェア的に実現される。すなわち、試験制御部３００に設けられたＣＰＵが、設定温度変更シーケンス処理プログラムを、同じく試験制御部３００に設けられたＲＯＭから読み出して実行することにより、実現される。
【００５１】
図７に示すように、バーンイン装置１０は、まず、シーケンス設定温度を変更する（ステップＳ１０）。このシーケンス設定温度が、被試験デバイスＤＵＴの目標設定温度である。本実施形態に係るバーンイン装置１０では、試験制御部３００でシーケンス設定温度が設定されると、試験制御部３００からヒータ制御ユニット２００にシーケンス設定温度が出力される。このシーケンス設定温度を受けて、ヒータ制御ユニット２００では、自律的に、このシーケンス設定温度に被試験デバイスＤＵＴがなるように、ヒータ１４０の制御を行う。すなわち、試験制御部３００が関与せずとも、ヒータ制御部２２０は、被試験デバイスＤＵＴがシーケンス設定温度になるように、温度測定部２１０で取得した被試験デバイスＤＵＴの温度に基づいて、ヒータ１４０のフィードバック制御を行っていく。
【００５２】
図９は、このシーケンス設定温度を上げる場合の各所の温度変化の一例を示すグラフであり、図１０は、シーケンス設定温度を下げる場合の各所の温度変化の一例を示すグラフである。このステップＳ１０は、これら図９及び図１０における時刻（１）に相当している。すなわち、図９の時刻（１）では、シーケンス設定温度が上げられており、図１０の時刻（１）では、シーケンス設定温度が下げられている。
【００５３】
次に、バーンイン装置１０は、各種の初期設定を行う（ステップＳ１２）。例えば、本実施形態では、ヒータ出力値のリミット（本実施形態では例えば５０％）を設定したり、冷却装置制御部３５０で実行されている後述の冷媒設定温度補正処理を停止する処理を行ったりする。ヒータ出力値のリミットを５０％に設定するのは、冷媒の急激な温度変化を防止するためである。
【００５４】
次に、バーンイン装置１０は、被試験デバイスＤＵＴの温度が安定したかどうかを判断する（ステップＳ１４）。本実施形態においては、例えば、試験制御部３００がヒータ制御ユニット２００から取得した各被試験デバイスＤＵＴのデバイス測定温度が、５秒間に最大でも０．５度以内の変化であり、これが所定回数（例えば、６回）継続した場合に、被試験デバイスＤＵＴの温度が安定したと判断する。被試験デバイスＤＵＴの温度が安定していないと判断した場合（ステップＳ１４：ＮＯ）には、このステップＳ１４を繰り返す。
【００５５】
一方、被試験デバイスＤＵＴの温度が安定したと判断した場合（ステップＳ１４：ＹＥＳ）には、バーンイン装置１０は、被試験デバイスＤＵＴの温度が、設定温度範囲に到達しているかどうかを判断する（ステップＳ１６）。本実施形態においては、例えば、すべての被試験デバイスＤＵＴのデバイス測定温度の中で最も高いデバイス測定温度が、シーケンス設定温度の±３度の範囲内に収まっている場合には、設定温度範囲に到達したと判断する。このステップＳ１６は、図９の時刻（２）に相当しており、図１０の時刻（２）に相当している。なお、このステップＳ１６において、被試験デバイスＤＵＴの温度が設定温度範囲に到達している場合とは、この設定温度変更シーケンス処理が起動された時点で、被試験デバイスＤＵＴの温度がシーケンス設定温度近傍になっている特殊な場合である。
【００５６】
ステップＳ１６において、被試験デバイスＤＵＴの温度が、設定温度範囲に到達していないと判断した場合（ステップＳ１６：ＮＯ）には、バーンイン装置１０は、新たな冷媒設定温度を設定する（ステップＳ１８）。このステップＳ１８も、例えば、図９の時刻（２）に相当しており、図１０の時刻（２）に相当している。
【００５７】
冷媒設定温度をどのように変更していくかは、様々な手法が考えられる。図９の例を用いて説明すると、本実施形態では、被試験デバイスＤＵＴの現時点におけるデバイス測定温度の最も高い温度と、シーケンス設定温度との差ΔＴｔ＿ａ２をｎで割って算出される温度ΔＴｆ２だけ、冷媒設定温度を上昇させる。すなわち、ΔＴｔ＿ａ２／ｎ＝ΔＴｆ２だけ、冷媒測定温度を上げる。ここでｎは定数であり、本実施形態では例えば３である。この冷媒設定温度は、試験制御部３００から冷却装置制御部３５０に出力され、さらに、冷却装置制御部３５０から冷却装置６０に出力される。
【００５８】
次に、バーンイン装置１０は、被試験デバイスＤＵＴの状態が、設定温度温調可能範囲に入ったかどうかを判断する（ステップＳ２０）。本実施形態においては、（ａ）被試験デバイスＤＵＴの現時点におけるデバイス測定温度の最も高い温度が、上述した設定温度範囲に到達した場合、又は、（ｂ）最も低いヒータ出力値が、所定値以下（本実施形態では例えば１０％以下）に到達した場合に、この設定温度温調可能範囲に入ったと判断する。
【００５９】
被試験デバイスＤＵＴの状態が、設定温度温調可能範囲にないと判断した場合（ステップＳ２０：ＮＯ）には、バーンイン装置１０は、冷媒設定温度が予め定めた上限温度（本実施形態では例えば８０度以上）に到達したかどうかを判断する（ステップＳ２２）。すなわち、ステップＳ１８で設定した冷媒設定温度が、予め定めた上限温度以上になったかどうかを判断する。
【００６０】
冷媒設定温度が予め定めた上限温度に到達していない場合（ステップＳ２２：ＮＯ）には、バーンイン装置１０は、冷媒の温度が冷媒設定温度に到達したかどうかを判断する（ステップＳ２４）。具体的には、試験制御部３００は、冷却装置制御部３５０を介して冷媒測定温度を取得し、この取得した冷媒測定温度がステップＳ１８で設定した冷媒設定温度に到達したかどうかを判断する。冷媒の温度が、冷媒設定温度に到達していない場合（ステップＳ２４：ＮＯ）には、上述したステップＳ２０からを繰り返す。
【００６１】
一方、冷媒の温度が、冷媒設定温度に到達した場合（ステップＳ２４：ＹＥＳ）には、バーンイン装置１０は、所定時間の経過を待って（ステップＳ２６）、冷媒の温度を安定させる。そして、上述したステップＳ１８に戻り、次の冷媒設定温度を設定する。
【００６２】
このステップＳ２４がＹＥＳであり、ステップＳ２６、ステップＳ１８と順次、実行した場合が、図９の時刻（３）、時刻（４）に対応しており、図１０の時刻（３）、時刻（４）に対応している。
【００６３】
これに対して、上述したステップＳ１６で被試験デバイスＤＵＴが設定温度範囲に到達していると判断した場合（ステップＳ１６：ＹＥＳ）、上述したステップＳ２０で被試験デバイスＤＵＴの状態が設定温度温調可能範囲にあると判断した場合（ステップＳ２０：ＹＥＳ）、又は、上述したステップＳ２２で冷媒設定温度が上限温度に到達したと判断した場合（ステップＳ２２：ＹＥＳ）には、バーンイン装置１０は、図８に示すように、ヒータ出力の初期設定を行う（ステップＳ３０）。本実施形態においては、この初期設定において、冷媒やヒータ１４０の急激な温度変化を回避するため、ヒータ１４０のヒータ出力値を５０％に設定する。また、ヒータ出力値のリミットも解除する。
【００６４】
次に、バーンイン装置１０は、冷媒設定温度補正処理を起動する（ステップＳ３２）。すなわち、バーンイン装置１０の試験制御部３００が、冷却装置制御部３５０に、冷媒設定温度補正処理の起動を指示する。この冷媒設定温度補正処理の具体的な内容は、後述する。これらステップＳ３０とステップＳ３２が、図９の時刻（５）に対応しており、図１０の時刻（５）に対応している。これら図９及び図１０からも分かるように、本実施形態においては、この設定温度変更シーケンス処理が終了する際に、冷却装置制御部３５０の冷媒設定温度補正処理が起動されることとなる。また、これら図９及び図１０では、被試験デバイスＤＵＴの温度が設定温度範囲になり（ステップＳ２０：ＹＥＳ）、冷媒設定温度補正処理が起動された例を示しており、実際のバーンイン試験においては、最も通常の態様であると考えられる。
【００６５】
次に、バーンイン装置１０は、被試験デバイスＤＵＴの温度が収束したかどうかを判断する（ステップＳ３４）。被試験デバイスＤＵＴの温度が収束していない場合（ステップＳ３４：ＮＯ）には、このステップＳ３４を繰り返して待機する。一方、被試験デバイスＤＵＴの温度が収束した場合（ステップＳ３４：ＹＥＳ）には、この設定温度変更シーケンス処理を終了する。このステップＳ３４が、図９の時刻（５）から時刻（６）に対応しており、図１０の時刻（５）から時刻（６）に対応している。
【００６６】
次に、図１１に基づいて、本実施形態に係る冷媒設定温度補正処理について説明する。この冷媒設定温度補正処理は、上述した設定温度変更シーケンス処理のステップＳ３２で起動される処理である。また、上述した設定温度変更シーケンス処理のステップＳ１２で停止される処理である。
【００６７】
本実施形態においては、この図１１に示す冷媒設定温度補正処理は、冷却装置制御部３５０に設けられたＣＰＵにより、ソフトウェア的に実現される。すなわち、冷却装置制御部３５０に設けられたＣＰＵが、冷媒設定温度補正処理プログラムを、同じく冷却装置制御部３５０に設けられたＲＯＭから読み出して実行することにより、実現される。
【００６８】
図１１に示すように、バーンイン装置１０の冷却装置制御部３５０は、冷媒設定温度の最初の設定を行う（ステップＳ４０）。本実施形態における、冷媒設定温度補正処理が起動されて最初に行われる冷媒設定温度の設定では、現時点の冷媒の温度を、冷媒設定温度とする。すなわち、現在の冷媒測定温度が、冷媒設定温度となる。このステップＳ４０が、図９の時刻（５）に対応しており、図１０の時刻（５）に対応している。
【００６９】
但し、本実施形態においては、このステップＳ４０で冷媒設定温度を設定する際に、後述するステップＳ４８、Ｓ５０、Ｓ５２で行われる補正も加えた上で、設定を行っている。すなわち、冷却装置制御部３５０は、複数の異なるタイミングで取得したヒータ出力値から平均値を算出することなく、この時点で取得した１つのヒータ出力値に基づいて、冷媒設定温度を補正する。具体的には、この時点で試験制御部３００から１つだけ取得したヒータ出力値が５％以下であれば、冷媒測定温度から０．１度下げた温度を冷媒設定温度とし、この時点で試験制御部３００から１つだけ取得したヒータ出力値が１０％以上であれば、冷媒測定温度から０．１度上げた温度を冷媒設定温度とする。一方、この時点で試験制御部３００から１つだけ取得したヒータ出力値が５％より大きく且つ１０％未満である場合には、冷媒測定温度をそのまま冷媒設定温度にする。
【００７０】
但し、このステップＳ４０における補正は、必ずしも必要ではない。補正を行わない場合は、冷媒測定温度をそのまま冷媒設定温度とすればよい。
【００７１】
次に、バーンイン装置１０の冷却装置制御部３５０は、所定の周期でヒータ出力値をモニタする（ステップＳ４２）。そして、バーンイン装置１０の冷却装置制御部３５０は、ヒータ出力値が安定しているかどうかを判断する（ステップＳ４４）。
【００７２】
本実施形態においては、試験制御部３００から冷却装置制御部３５０には、最も低いヒータ出力値が出力される。すなわち、試験制御部３００は、バーンイン試験を行っている被試験デバイスＤＵＴのすべてのヒータ出力値を取得するが、これら取得したヒータ出力値の中で、最も低いヒータ出力値を冷却装置制御部３５０に出力する。冷却装置制御部３５０では、この最も低いヒータ出力値を連続的にモニタして、ヒータ出力が安定しているかどうかを判断する。
【００７３】
例えば、本実施形態においては、冷却装置制御部３５０は、５秒毎にヒータ出力値を取得し、６回分のヒータ出力値の変化の幅が、２０％以内であれば、ヒータ出力値が安定していると判断する。例えば、冷却装置制御部３５０が取得した６回のヒータ出力値が、２０％、３０％、３５％、３５％、４０％、３５％であれば、ヒータ出力値は安定していると判断する。これは、冷却装置制御部３５０が取得したヒータ出力値の中で最も小さな値と最も大きな値との差が、２０％以内に収まっているからである。
【００７４】
ヒータ出力値が安定していないと判断した場合（ステップＳ４４：ＮＯ）には、バーンイン装置１０の冷却装置制御部３５０は、上述したステップＳ４２に戻り、ヒータ出力値のモニタを継続する。
【００７５】
一方、ヒータ出力値が安定したと判断した場合（ステップＳ４４：ＹＥＳ）には、冷却装置制御部３５０は、取得したヒータ出力値の所定回数分の平均値を算出する（ステップＳ４６）。本実施形態においては、例えば、６回分のヒータ出力値に基づいて、その平均値を算出する。
【００７６】
次に、冷却装置制御部３５０は、ステップＳ４６で算出した平均値が、５％以下であるか、それとも、１０％以上であるか、或いは、５％より大きく１０％未満であるかどうかを判断する（ステップＳ４８）。
【００７７】
ステップＳ４６で算出した平均値が５％以下である場合には、冷却装置制御部３５０は、冷媒設定温度を現在の温度より０．１度下げる（ステップＳ５０）。すなわち、冷媒設定温度を０．１度下げる補正をする。そして、上述したステップＳ４２に戻り、ヒータ出力値のモニタを継続する。
【００７８】
一方、ステップＳ４６で算出した平均値が１０％以上である場合には、冷却装置制御部３５０は、冷媒設定温度を現在の温度より０．１度上げる（ステップＳ５２）。すなわち、冷媒設定温度を０．１度上げる補正をする。そして、上述したステップＳ４２に戻り、ヒータ出力値のモニタを継続する。
【００７９】
一方、ステップＳ４６で算出した平均値が５％より大きく且つ１０％未満である場合には、冷却装置制御部３５０は、現在の冷媒設定温度を変更することなく、上述したステップＳ４２に戻り、ヒータ出力値のモニタを継続する。
【００８０】
図１２は、３つの被試験デバイスＡ、Ｂ、Ｃの温度の変化と、冷媒設定温度と、冷媒測定温度との変化を例示するグラフを示している。図１３は、被試験デバイスＡ、Ｂ、Ｃに対するヒータ出力値と、冷媒設定温度の補正の値の一例を表にして示す図である。これら図１２及び図１３では、説明を簡潔にするため、３つの被試験デバイスＡ、Ｂ、Ｃだけを例示しているが、一般的には、バーンイン装置１０には、これより多くの被試験デバイスＤＵＴが収容されていてる。
【００８１】
これら図１２及び図１３の例では、冷却装置制御部３５０がステップＳ４６において、時刻（１）で、４０％という平均値を算出したとする。この場合、冷却装置制御部３５０は、ステップＳ５２を実行し、冷媒設定温度を０．１度上げる設定変更を行う。これにより、冷媒の温度は上がり、被試験デバイスＢのヒータ出力値は下がっていくことが期待される。すなわち、ヒータ出力値を下げることにより、消費電力の抑制を図ることができる。
【００８２】
また、冷却装置制御部３５０がステップＳ４６において、時刻（２）で、２０％という平均値を算出したとする。この場合、冷却装置制御部３５０は、ステップＳ５２を実行し、冷媒設定温度を０．１度上げる設定変更を行う。これにより、冷媒の温度は上がり、被試験デバイスＢのヒータ出力値はさらに下がっていくことが期待される。すなわち、ヒータ出力値を下げることにより、消費電力の抑制を図ることができる。
【００８３】
また、冷却装置制御部３５０がステップＳ４６において、時刻（３）で、２０％という平均値を算出したとする。この場合、冷却装置制御部３５０は、ステップＳ５２を実行し、冷媒設定温度を０．１度上げる設定変更を行う。これにより、冷媒の温度は上がり、被試験デバイスＣのヒータ出力値は下がっていくことが期待される。すなわち、被試験デバイスＣのヒータ出力値を下げることにより、消費電力の抑制を図ることができる。
【００８４】
また、冷却装置制御部３５０がステップＳ４６において、時刻（４）で、９％という平均値を算出したとする。この場合、冷却装置制御部３５０は、冷媒設定温度の変更は行わない。すなわち、冷媒の温度は適切であり、ヒータ１４０の僅かな加熱により、各被試験デバイスＤＵＴはそれぞれシーケンス設定温度に保たれていることとなる。
【００８５】
また、冷却装置制御部３５０がステップＳ４６において、時刻（５）で、５％という平均値を算出したとする。この場合、冷却装置制御部３５０は、ステップＳ５０を実行し、冷媒設定温度を０．１度下げる設定変更を行う。これにより、冷媒の温度は下がり、被試験デバイスＡのヒータ出力値は上がっていくことが期待される。
【００８６】
このようにヒータ出力値を上げる必要があるのは、本実施形態では、各温度制御ブロック１１０には、冷媒の流量を個別に制御する制御機構が設けられていないためである。このため、本実施形態においては、冷媒の流量を変えることにより、被試験デバイスＤＵＴの温度制御ができない。そこで、ヒータ１４０の出力を変えることにより、被試験デバイスを目標温度であるシーケンス設定温度になるように制御している。
【００８７】
すなわち、時刻（５）において、被試験デバイスＡのヒータ１４０の出力をこれ以上小さくしてしまうと、被試験デバイスＡの温度を素早く下げるという制御が実現不可能な状態になってしまう。すなわち、被試験デバイスＡの温度がこれ以上、上がってしまい、下げる必要が生じたとしても、冷媒の温度は急激に下げることができず、また、被試験デバイスＡだけ温度を下げる手段もない。このため、最も小さいヒータ出力値のヒータ１４０であっても、そのヒータ出力値が絶えず５％以上となるように制御することにより、ヒータ出力値を下げるという余地を残すようにし、被試験デバイスＤＵＴの温度を個別に下げるという制御が実現できるようにしている。
【００８８】
この図１１に示した冷媒設定温度補正処理が、図９の時刻（５）以降に定常的に行われており、図１０の時刻（５）以降に定常的に行われている。
【００８９】
以上のように、本実施形態に係るバーンイン装置１０によれば、各温度制御ブロック１１０に冷媒の流量を制御する機構を個別に設けずとも、各被試験デバイスＤＵＴの温度制御を個別に行うことができる。このため、温度制御ブロック１１０の構造を単純化することができ、温度制御ブロック１１０の製造コストの低減を図ることができ、ひいては、バーンイン装置１０の製造コストの低減を図ることができる。
【００９０】
また、最も低いヒータ出力値でも１０％以上ある場合には、冷媒設定温度を下げるようにしたので、ヒータ１４０における無駄なヒータ出力を抑制して、ヒータ１４０で消費される電力を可能な限り低く抑えることができる。
【００９１】
なお、本発明は上記実施形態に限定されず種々に変形可能である。例えば、上述した実施形態では、ステップＳ５２やステップＳ５０で冷媒設定温度を上げたり下げたりする温度幅が０．１度である場合を例に本発明を説明したが、この温度幅は、任意に変更可能である。また、ステップＳ５２で冷媒設定温度を上げる温度幅と、ステップＳ５０で冷媒設定温度を下げる温度幅は、必ずしも同じである必要はない。すなわち、ステップＳ５２で冷媒設定温度を上げる温度幅と、ステップＳ５０で冷媒設定温度を下げる温度幅とが、異なる温度幅であってもよい。
【００９２】
また、上述した実施形態では、温度制御ブロック１１０に、この温度制御ブロック１１０内部に流れ込む冷媒の流量を制御する機能を設けていない場合を例にして、本発明を説明したが、温度制御ブロック１１０のそれぞれに、内部へ流れ込む冷媒の流量を制御する機構を設けた場合であっても、本発明を適用することができる。
【００９３】
また、バーンイン装置１０内部における各制御部及び各制御ユニットの配置は、任意に変更可能である。すなわち、図６に示したヒータ制御ユニット２００、デバイス電源制御ユニット２５０、試験制御部３００、及び、冷却装置制御部３５０は、バーンイン装置１０の任意の位置に配置することができる。
【００９４】
また、上述した実施形態では、設定温度変更シーケンス処理と冷媒設定温度補正処理をソフトウェアにより実現する場合を例に説明したが、これらの各処理をＡＳＩＣ（Application Specific IC）などのハードウェアにより実現するようにしてもよい。さらには、これらの各処理を、ソフトウェアとハードウェアとが協働して実現するようにしてもよい。
【図面の簡単な説明】
【００９５】
【図１】本実施形態に係るバーンインシステムにおけるバーンイン装置の正面図である。
【図２】図１のバーンインシステムにおけるバーンイン装置の右側面図である。
【図３】本実施形態に係るバーンインシステムにおけるバーンインボードを上から見た平面レイアウト図である。
【図４】本実施形態に係るバーンイン装置における温度調整ボードを上から見た平面レイアウト図である。
【図５】本実施形態に係る温度調整ボードに設けられている温度制御ブロックの構造を説明するための断面図である。
【図６】本実施形態に係るバーンイン装置の制御機構を説明するための機能ブロック図である。
【図７】本実施形態に係るバーンイン装置の試験制御部で実行される設定温度変更シーケンス処理の内容を説明するフローチャートの一例を示す図である（その１）。
【図８】本実施形態に係るバーンイン装置の試験制御部で実行される設定温度変更シーケンス処理の内容を説明するフローチャートの一例を示す図である（その２）。
【図９】設定温度変更シーケンス処理においてシーケンス設定温度を上げた場合における、バーンイン装置の各所の温度変化の一例を示す図である。
【図１０】設定温度変更シーケンス処理においてシーケンス設定温度を下げた場合における、バーンイン装置の各所の温度変化の一例を示す図である。
【図１１】本実施形態に係るバーンイン装置の冷却装置制御部で実行される冷媒設定温度補正処理の内容を説明するフローチャートの一例を示す図である。
【図１２】３つの被試験デバイスの温度変化の一例をグラフにして示す図である。
【図１３】図１２のように被試験デバイスの温度が変化した場合における、ヒータ出力値の平均値の一例と、これに対応する冷媒設定温度補正の内容の一例を表にまとめて示す図である。
【符号の説明】
【００９６】
１０  バーンイン装置
２０  チャンバ
３０  スロット
４０  ドア
６０  冷却装置
７０  制御装置
１００  温度調整ボード
１１０  温度制御ブロック
１２０  メインの配管
１３０  支管である配管
１４０  ヒータ
１５０  温度センサ
２００  ヒータ制御ユニット
２５０  デバイス電源制御ユニット
３００  試験制御部
３５０  冷却装置制御部
ＢＩＢ  バーンインボード
ＳＫＴ  ソケット
ＥＧ  挿入エッジ
【図１】
2010014421.tif 000003
【図２】
2010014421.tif 000004
【図３】
2010014421.tif 000005
【図４】
2010014421.tif 000006
【図５】
2010014421.tif 000007
【図６】
2010014421.tif 000008
【図７】
2010014421.tif 000009
【図８】
2010014421.tif 000010
【図９】
2010014421.tif 000011
【図１０】
2010014421.tif 000012
【図１１】
2010014421.tif 000013
【図１２】
2010014421.tif 000014
【図１３】
2010014421.tif 000015